(57)【要約】【課題】折畳んだ際に段差が生じることがないプラスチック製中空体シートを用いた箱体およびその製造方法の改良に関する。【解決手段】複数の方形状のブランクを直角に組合せ、直角となる一方のブランクの縁部を折り曲げて他方のブランクの縁部に加圧しながら溶着し、溶着個所は前記折り曲げた縁部が他方のブランクと面一となるように形成し、該コーナーの溶着個所を折曲片形成位置まで切離すと共に切離されない部分を胴部側壁とし、前記切離された各片が胴部側壁に連接される折曲片となって胴部の開口側を塞いでなることを特徴とする。【選択図】図７
2015020791.tif 000002
【特許請求の範囲】
【請求項１】
複数の方形状のブランクを直角に組合せ、直角となる一方のブランクの縁部を折り曲げて他方のブランクの縁部に加圧しながら溶着して溶着部分がブランクの他の部分と面一にしてコーナー部を形成し、
該コーナーの溶着個所を折曲片形成位置まで切離すと共に切離されない部分を胴部側壁とし、前記切離された各片が胴部側壁に連接される折曲片となって胴部の開口側を塞いでなることを特徴とする箱体。
【請求項２】
複数のブランクが、上下一対と左右一対の４つのブランクからなっており、各ブランクを直角に組合せて角筒体となし、該角筒体の前後の各コーナーに沿って前記溶着個所をフラップ形成位置まで切離して、切離され各片が胴部側壁の前後に連接される各４つのフラップとなることを特徴とする請求項１に記載の箱体。
【請求項３】
複数のブランクを直角に組合せ、直角となる一方のブランクの縁部を折り曲げて他方のブランクの縁部に加圧しながら溶着して溶着部分がブランクの他の部分と面一にしてコーナー部を形成し、
該コーナーの溶着個所を折曲片形成位置まで切離すと共に切離されない部分を胴部側壁とし、前記切離された各片が胴部側壁に連接される折曲片となって胴部の開口側を塞いでなることを特徴とする箱体の製造方法。
【請求項４】
複数のブランクが、上下一対と左右一対の４つのブランクからなっており、各ブランクを直角に組合せて角筒体となし、該角筒体の前後の各コーナーに沿って前記溶着個所をフラップ形成位置まで切離して、切離され各片が胴部側壁の前後に連接される各４つのフラップとなることを特徴とする請求項３に記載の箱体の製造方法。
【発明の詳細な説明】
【技術分野】
【０００１】
本発明は、折畳んだ際に段差が生じることがないプラスチック製中空体シートを用いた箱体およびその製造方法の改良に関する。
【背景技術】
【０００２】
プラスチック製中空体シートを用いたＡ式ケースの製造方法として、従来は一般的に段ボールと同様に、打ち抜き機で加工した側壁１１、１２と各側壁の両端に折曲用の罫線を介して連接した合計４つに切離されたフラップ１３、１４とからなる一対のブランク構成片１０ａ、１０ｂにそれぞれジョイント部１５ａ、１５ｂと呼ばれる貼合せ片を形成し、一方のブランク構成片１０ｂのジョイント部１５ｂを他方のブランク構成片１０ａの端部にステッチ、糊、熱などで固着して１枚のブランク１０とし、他方のジョイント部１５ａをブランク１０の他端側に同様に固着してケース１０‘を製造している（図９、図１０参照）。
ジョイント部を設けない場合には、ブランクの一端部の外面を他端部の内面と接着や溶着で貼り合わせて筒状に製造している。
だが、素材が段ボールシートの場合には、押し潰すと段目が座屈し復元しなくなり、ジョイント部を追加工する事によりケースを折り畳んでもジョイント部は盛り上がらずにフラットになるがプラスチック製中空体シートの場合は、押し潰しても復元してしまい、ケースを折り畳んだ際にジョイント部がその厚み分だけ盛り上がり段差が生じる。
この段差が、折り畳んだケースを積み上げた際の姿勢の不安定を生み、高積みが困難となり、また積み上げた状態での経時変化によりケースに変形が生じてそのままでは使用できなくなる虞れもあった。
また、上記段差は、ケースとして組み立てても、内寸（内ジョイント）又は外寸（外ジョイント）が方形ではないため、内容物そのものや段積み輸送時にキズが生じたり荷崩れ等の不具合を生じる場合がある
このように、プラスチック製中空体シートは罫線を入れても座屈しないので、ケースを折り畳んだ時、１８０度に折り畳んだ角が戻ろうとして胴膨れを起こすという不具合があった。
また、段目に平行の罫線を折り畳む場合には、罫線が段目をまたいだりして、寸法は安定せず、ケース寸法そのものが製函加工の際バラツキが生じるなどの問題があった。
更に、前記ジョイント部１５ａ、１５ｂで貼り合わせる際、微妙にずれて固着されると、組み立てた際、底や蓋の端辺が正確にそろわず、打ち抜かれた切断面からシート内部に水が入る虞れなどがある（図１１参照）。
例えば、実用新案登録第３１１２０２６号の箱体では、外側板と底板を有する合成樹脂製の板材が組み立てられ、重合された外側板と耳部が超音波溶着により接合されている。重合された外側板と耳部の接合部の接合領域が斜め向き等の四角形状とされ、その斜め向きの四角形接合部に超音波振動と同時に圧力が加わり溶融されて斜め留め接合される構成が開示されているが、前記ジョイン部に相当する耳部は、箱体の内側又は外側で段差を生じるため、同様の不具合があった。
一方、本出願人は、特開２００８−２２２２５５号で、第１ブランクまたは第２ブランクのいずれか一方に、所定の幅に設定されて函体成形時に縦方向と横方向に伸びる第１熱溶着代と第２熱溶着代とを形成すると共に両者の交叉する個所に切欠を設けてなり、上記第１熱溶着代とこれと直交する壁面および第２溶着代とこれと直交する壁面を表面側から溶融して一対の第１および第２溶融片となし、該一対の第１および第２溶融片の一方を他方に折り重ねて一体に溶着する構成を提案している。
しかし、上記先願は、一面が開口するボックス状のケースの製法が開示されており、折曲片やフラップを有する箱体の製法は開示されていない。
【先行技術文献】
【特許文献】
【０００３】
【特許文献１】実用新案登録第３１１２０２６号公報
【特許文献２】特開２００８−２２２２５５号公報
【発明の概要】
【発明が解決しようとする課題】
【０００４】
この発明は、上記問題点を解消するため、複数の方形状のブランクを直角に組み合わせ一方のブランクの縁部を折り曲げて、折り曲げた縁部が他方のブランクと面一となるように溶着し、該溶着個所を所定の長さまで切断して、胴部側壁とこれに連接する折曲片とに形成し、溶着個所に段差が生じない箱体及びその製造方法を提供することを課題とする。
【課題を解決するための手段】
【０００５】
本発明は、上記課題を解決するために、
複数の方形状のブランクを直角に組合せ、直角となる一方のブランクの縁部を折り曲げて他方のブランクの縁部に加圧しながら溶着し、溶着個所は前記折り曲げた縁部が他方のブランクと面一となるように形成し、
該コーナーの溶着個所を折曲片形成位置まで切離すと共に切離されない部分を胴部側壁とし、前記切離された各片が胴部側壁に連接される折曲片となって胴部の開口側を塞いでなることを特徴とする。
【発明の効果】
【０００６】
この発明では、胴貼りのために段差を生じるジョイント部や貼合せ部分を設けず、直角に配置されるブランクの縁部を段差が生じないように加圧しながら溶着するので、箱体の溶着個所に段差が生じることがなく、側壁の外面及び内面が扁平面で形成することができる。
そして、溶着個所を所定長さだけ切断することで胴部に連接されたフラップなどの折曲片を形成して箱体を組み立てることができる。
これにより、収納物にキズをつけるおそれが無く、また、ケースを段積みした際にも姿勢を安定させることができ、箱体に収納された収納物の保護機能を改善することができ、輸送時の破損や傷の発生を改善できる。
また、箱体を折畳んだ際にも段差が生じないため、折畳み姿勢の安定により高積みが可能となり、またケースの変形が防止されたり、胴膨れが防止されたりするので、自動供給装置に適合することができ、また保管場所の省スペース化を図ることができる。
また、正確な寸法に成形することができ、さらに、溶着後に切り込みを入れるため、ケース寸法のバラツキを減少させることができる。
更に、寸法精度の向上により、蓋と底のフラップ端辺が隙間無く合わさるため、ケース耐圧強度の向上を、従来比で２０パーセント以上アップさせることができる。また、溶着された部分を切断するため、水がシート内に入らない。
【図面の簡単な説明】
【０００７】
【図１】第１ブランクの平面図である。
【図２】第２ブランクの平面図である。
【図３】（ａ）は第１ブランクの第１罫線を示す側面図、（ｂ）は第１罫線に使用する押罫の刃の要部断面図である。
【図４】１枚の第１ブランクに２枚の第２ブランクの一方の端部を溶着する際の配置を示す斜視図である。
【図５】残りの一枚の第１ブランクを２枚の第２ブランクの他方の端部に溶着する際の配置を示す斜視図である。
【図６】溶着により角筒体に成形された状態を示す斜視図である。
【図７】角筒体の一部を切離す状態の斜視図である。
【図８（ａ）】第１ブランクと第２ブランクとの熱溶着の要部を示す断面図であって、溶着前の状態を示す図である。
【図８（ｂ）】第１ブランクと第２ブランクとの熱溶着の要部を示す断面図であって、溶着による溶融状態を示す図である。
【図８（ｃ）】第１ブランクと第２ブランクとの熱溶着の要部を示す断面図であって、溶融片の溶着状態を示す図である。
【図９】従来のジョイント部付きブランクを示す平面図である。
【図１０】同組み立てられたケースの斜視図である。
【図１１】図１０のａ部拡大図である。
【発明を実施するための形態】
【０００８】
直角となる一方のブランクの縁部を折り曲げて他方のブランクの縁部に加圧しながら溶着し、溶着個所は前記折り曲げた縁部が他方のブランクと面一となるように形成し、  該溶着個所を必要に応じて切断して折曲片やフラップを形成することで、内外面に段差のない箱を実現した。
以下に、この発明をＡ式ケースに適用した場合の好適実施例について、図面を参照しながら説明する。
【実施例１】
【０００９】
［第１ブランク］
図１は、Ａ式ケースに使用する長方形の第１ブランク２であって、本実施例では同じ２枚の第１ブランク２を上下一対用のブランクとして用いる。
なお、本実施例で、上下、左右、前後は相対的な位置関係を示すものとして使用しており、絶対的な位置を示すものではない。
また、ブランクにはプラスチック製中空体シートが用いられるが、この発明では、発泡プラスチックボードその他の発泡体シートなど、軽量で強度を有する素材を用いても良い。
プラスチック製中空体シートは、例えば、一回の押し出しで一体として吐出・成型されたプラスチック製段ボール、２枚のライナーの間に中芯を有するプラスチック製段ボール、など中空構造であれば好ましい。
【００１０】
この第１ブランク２には、同一方向の縁部で溶着時に折曲げられる個所に沿って一対の第１罫線Ｋ１が形成される。
同様に、上記第１罫線Ｋ１と交差する方向に折曲げ用の第２罫線Ｋ２が一対に設けられている。
ここで、第２罫線Ｋ２は、図示例の場合、第１ブランク２の段目に対して垂直に形成している。
これらの罫線は、ブランクを打ち抜く際に同時に形成されてもよい。
【００１１】
［第１罫線］
前記第１罫線Ｋ１を形成する押罫８として、本実施例では図に示す５本罫が用いられている（図３（ｂ）参照）。
この押罫８は、樹脂を押し潰して予め伸ばしているため、罫線に沿って折り曲げても樹脂が割れにくくなる。
また、押罫８の幅Ｐ２が  段目のワンピッチＰ１より広い（図３（ａ）参照）ため、必ず段目を跨ぐことになり、折り畳む場合の寸法が安定する。
この押罫８の罫刃は、５つの同じ厚みを有する押罫構成刃を一体に形成した構造からなっており、図示例では中央の押罫構成刃８ｃが最も高く、他の押罫構成刃８ａ、８ｂ、８ｄ、８ｅは中央の押罫構成刃８ｃより低いほぼ同じ高さに設定されている。
上記罫刃は図示例に限定されず、中央の押罫構成刃が最も高く、他の押罫構成刃が低ければよく、３つ以上の構成刃からなっていればよい。
これにより第１罫線Ｋ１は、図３（ａ）に示すように中央が最も窪んだ形成となっており、後述の溶着による強度を高めることができる。
【００１２】
［第２ブランク］
図２は長方形の第２ブランク３であって、前記第１ブランク２と一辺の長さを同じくしており、本実施例では同じ２枚の第２ブランク２を左右一対用のブランクとして用いる。
この第２ブランク３には、前記第１ブランク２の折曲げ用の第２罫線Ｋ２に対する間隔に設定された折曲げ用の第３罫線Ｋ３が一対に設けられている。
ここで第３罫線Ｋ３は、図示例の場合、第２ブランク３の段目に対して垂直に形成している。
なお、折曲げ用の前記第２罫線Ｋ２や第３罫線Ｋ３は、一般的な押罫を用いた折曲線として成形されているが、この発明では第１罫線Ｋ１を含め罫線の構造は特に限定しなくてもよい。
【００１３】
上記第１ブランク２と第２ブランク３には、必要に応じて印刷が施される。
次いで、第１ブランク２の第２罫線Ｋ２と平行に延びる端縁部２１と、第２ブランク３の第３罫線Ｋ３と平行に延びる端縁部３１は、いずれも端部を半球状に密封するアールシールが施される。
また、第２ブランク３では、第３罫線Ｋ３と交差方向に延びる端縁部３２にも同様のアールシールが施される。
【００１４】
［製函］
このような第１ブランク２と第２ブランク３を用いて製函加工が行われる。
まず、第１ブランク２の一対の第１罫線Ｋ１に沿って、それぞれ第２ブランク３、３を直角に配置する。
次いで、第１ブランク２の第１罫線Ｋ１より外側の端縁部２２までの第１熱溶着代２３と第２ブランク３の端縁部３２側で折曲げられた第１熱溶着代２３に対応する被溶着個所３３を加熱・加圧しながら前記第１ブランク２側の縁部を折り返して溶着し、該溶着個所が第２ブランク３の面と同一面となるように形成する。
【００１５】
上記溶着方法として、例えば、特開２００８−２２２２５５号（図６〜図９、図１１参照）で開示され構成を用いることができるが、この発明では溶着個所が他の面と略同一面に設定される方法であれば、特に限定されない。
【００１６】
図８に一例を示すように、第２ブランク３が、第１ブランク２の第１罫線Ｋ１上で直角に配置されて、熱板６と押し板７を順次、均一に押し当て、熱溶着を行う。
即ち、熱板６は、図示例の場合、断面正方形の１つの直角部を除いた３つの直角部Ｒ１〜Ｒ３を有し、中央の直角部Ｒ１の両側に加熱面６ａ、６ｂを有する押圧部６２と、該押圧部６２に結合されたアーム部６１とを備えた構成からなっている。この熱板６の形状は一例であって、箱体の溶着個所となるコーナーの角度に対応した角度で交叉する一対の加熱面６ａ、６ｂを有するものであればよい。
【００１７】
上記中央の直角部Ｒ１を第１ブランク２の第１罫線Ｋ１の外側の第１熱溶着代２３と第２ブランク３の被溶接個所３３との角部に整合して、第１加熱面６ａを第１熱溶着代２３に押し当てると共に、第２加熱面６ｂを第２ブランク３の被溶接個所３３に押し当て、そのまま熱板６を約４５度の角度で下向きに角部に向けて均等に推し進めることで、第１、第２加熱面６ａ、６ｂが接した個所をその板厚の約半分程度溶融する（図８（ｂ）参照）。
【００１８】
これにより、第１熱溶着代２３は、その端部から第２ブランク３の略半分の幅に至り、第１熱溶着代２３の厚みの略半分を溶融して第１熱溶着代２３の中空構造内に溶け込ませて第１溶融片２４を形成する。
また、第２ブランク３は、前記第１熱溶着代２３の厚みの略半分の位置から前記第１溶融片２４と略同じ長さにわたって第２ブランク３の被溶接個所３３の厚みの略半分を溶融して第２ブランク３内の中空構造内に溶け込ませて第２溶融片３４を形成する（図８（ｂ）参照）。
第２溶融片３４の上部に連なる第２ブランク３の外面周縁３’は、熱板６の進入により斜めに切り欠かれるが、上記個所３’は、後述の押し板７による加圧時に溶融した樹脂によって埋められる。
【００１９】
押し板７は、矩形ブロックからなって、表面が水冷などにより冷却されており、前記熱板６によって加熱された溶融片を冷却しながら整形し固化させているが、この発明では、加熱するものでもよい。
この押し板７は、第２ブランク３の表面の垂下位置に端面がセットされており、熱板６による溶融が終了して熱板６が後方に退動すると、上昇し始める。
【００２０】
そして、押し板７は、上昇しながら上記第１溶融片２４を第２ブランク３の端縁側の外側に折り曲げ、次いで第１溶融片２４を第２溶融片３４と隙間無く重ね合わせて両者を一体に熱溶着して結合させる（図８（ｃ）参照）。
これにより、上記溶着個所９の表面は、第２ブランク３の他の表面と略同一面となり、段差が生じることなく結合することができる。
【００２１】
このようにして、まず、図４に示すように、一方の第１ブランク２の第１罫線Ｋ１に沿って２枚の第２ブランク３の一方の端部側が直角になるように配置して前記溶着を行い、次いで、図５に示すように、他方の第１ブランク２を前記一対の第２ブランク３の他方の端部に直角となるように配置し前記溶着を行って、図６に示すような角筒体１を成形する。
【００２２】
このように形成された角筒体１を、開口側から溶着個所９に沿って前記第２罫線Ｋ２乃至第３罫線Ｋ３の位置まで切り離し、切り離されず残った部分を箱体の胴部側壁とし、前記切離された各片を胴部側壁に連接された折曲片として用いる。
本実施例では、Ａ式ケースであるため、前後に４片ずつのフラップを形成する必要があり、図７に示すように、溶着個所９で第１ブランク２の厚みと同じ位置に切断線Ｃを入れ、前記折曲線となる第３罫線Ｋ３の位置まで切離する。
【００２３】
このようにして、全ての溶着個所９を切離して前後にそれぞれ胴部側壁に第２罫線Ｋ２、第３罫線Ｋ３を介して連接されるフラップを形成し、各フラップは前記第２罫線Ｋ２、第３罫線Ｋ３に沿って折り曲げて胴部側壁の開口側を塞ぎ、フラップ相互を公知の固定手段で固定してＡ式ケースを組み立てることができる。
【００２４】
上記実施例ではＡ式ケースの場合を例示したが、胴張りスリーブを形成してもよい。
この場合、図６のような角筒体１を成形し、角筒体の前後を任意に切離してフラップに替えて、任意の底部形成片や頂部形成片を設ければよい。
【００２５】
また、この発明では、一面が開口する半Ａ式ケースに適用することもできる。
この場合は第１ブランク２を１枚、第２ブランク３を２枚用いて図４に示したような断面コ字状体を形成し、溶着個所９を同様に折曲線まで切離すことで前後に３つの折曲片を形成し。これらの折曲片を重ね合わせて上面が開口する箱や蓋を形成することができる（図示せず）。
【００２６】
その他、複数の方形のブランクを溶着し、必要個所を切り離すことで、任意の構造の箱体を製造することができる。
この発明は上記実施例に限定されるものではなく、要するにこの発明の要旨を変更しない範囲で種々設計変更しうる。
【符号の説明】
【００２７】
１    角筒体
２    第１ブランク
３    第２ブランク
６    熱板
７    押し板
８    押罫
９    溶着箇所
１０    従来のＡ式ケースのブランク
２１    端縁部（Ｋ２と平行）
２２    端縁部（Ｋ２と交差）
２３    第１熱溶着代
２４    第１溶融片
３１    端縁部（Ｋ３と平行）
３２    端縁部  
３３    被溶接個所
３４    第２溶融片
Ｃ    切断線
Ｋ１    第１罫線
Ｋ２    第２罫線
Ｋ３    第３罫線
【図１】
2015020791.tif 000003
【図２】
2015020791.tif 000004
【図３】
2015020791.tif 000005
【図４】
2015020791.tif 000006
【図５】
2015020791.tif 000007
【図６】
2015020791.tif 000008
【図７】
2015020791.tif 000009
【図８（ａ）】
2015020791.tif 000010
【図８（ｂ）】
2015020791.tif 000011
【図８（ｃ）】
2015020791.tif 000012
【図９】
2015020791.tif 000013
【図１０】
2015020791.tif 000014
【図１１】
2015020791.tif 000015